(57)【要約】      （修正有）【課題】パネル上の任意の領域の輝度を検出するための輝度検知装置を開示する。【解決手段】基部、第１のシャフト、第１のアクチュエータ、第２のシャフト、第２のアクチュエータおよび少なくとも１個の輝度センサを備える。第１のシャフトが基部に枢着され、および、第２のシャフトが第１のシャフトに枢着される。輝度センサが、第２のシャフト上に配設される。第１のアクチュエータが第１のシャフトを基部に対して回転するように作動させるために使用され、および、第２のアクチュエータが第２のシャフトを第１のシャフトに対して回転するように作動させるために使用され、そうすると、第２のシャフト上の輝度センサがパネル上の任意の領域の輝度を検出することが可能である。したがって、パネル上の輝度が、一様に較正されることができる。【選択図】図３Ａ
2009014699.tif 000002
【特許請求の範囲】
【請求項１】
パネル上の任意の領域の輝度を検出するための輝度検知装置であって、
基部と、
第１のピボットを介して前記基部に枢着される第１のシャフトと、
前記基部上に配設され、かつ前記第１のピボットに接続され、前記第１のシャフトを前記基部に対して回転するように作動させるための、第１のアクチュエータと、
第２のピボットを介して前記第１のシャフトに枢着される第２のシャフトと、
前記第２のシャフト上の適切な位置に配設される少なくとも１個の輝度センサと、
前記第１のシャフト内に配設され、かつ前記第２のピボットに接続され、前記第２のシャフトを前記第１のシャフトに対して回転するように作動させるための、第２のアクチュエータと、を備え、前記少なくとも１個の輝度センサが前記パネル上の任意の領域の輝度を検出することが可能である、装置。
【請求項２】
請求項１の輝度検知装置であって、前記第１のアクチュエータが、第１のモータ、および前記第１のモータと前記第１のピボットとを接続する第１のギヤセットを備える、ことを特徴とする装置。
【請求項３】
請求項２の輝度検知装置であって、前記第１のモータが、ステッピングモータあるいはサーボモータである、ことを特徴とする装置。
【請求項４】
請求項１の輝度検知装置であって、前記第２のアクチュエータが、第２のモータ、および前記第２のモータと前記第２のピボットとを接続する第２のギヤセットを備える、ことを特徴とする装置。
【請求項５】
請求項４の輝度検知装置であって、前記第２のモータが、ステッピングモータあるいはサーボモータである、ことを特徴とする装置。
【請求項６】
パネル上の任意の領域の輝度を検出するための輝度検知装置であって、
基部と、
第１のピボットを介して前記基部に枢着される第１のシャフトと、
前記基部上に配設され、かつ前記第１のピボットに接続され、前記第１のシャフトを前記基部に対して回転するように作動させるための、第１のアクチュエータと、
第２のピボットを介して前記第１のシャフトに枢着される第２のシャフトと、
前記第１のピボット内に配設される第３のピボットと、
前記第１のシャフト内に配設され、前記第１のピボットと前記第３のピボットとを接続するための、プーリーと、
前記第２のシャフト上の適切な位置に配設される少なくとも１個の輝度センサと、
前記基部上に配設され、かつ前記第３のピボットに接続され、前記第２のシャフトを前記第１のシャフトに対して回転するように作動させるように前記プーリーを作動させるための、第２のアクチュエータと、を備え、前記少なくとも１個の輝度センサが前記パネル上の任意の領域の輝度を検出することが可能である、装置。
【請求項７】
請求項６の輝度検知装置であって、前記第１のアクチュエータが、第１のモータ、および前記第１のモータと前記第１のピボットとを接続する第１のギヤセットを備える、ことを特徴とする装置。
【請求項８】
請求項７の輝度検知装置であって、前記第１のモータが、ステッピングモータあるいはサーボモータである、ことを特徴とする装置。
【請求項９】
請求項６の輝度検知装置であって、前記第２のアクチュエータが、第２のモータ、および前記第２のモータと前記第３のピボットとを接続する第２のギヤセットを備える、ことを特徴とする装置。
【請求項１０】
請求項９の輝度検知装置であって、前記第２のモータが、ステッピングモータあるいはサーボモータである、ことを特徴とする装置。
【発明の詳細な説明】
【技術分野】
【０００１】
本発明は、輝度検知装置に、そして、より詳しくはパネル上の任意の領域の輝度を検出することが可能な輝度検知装置に関する。
【背景技術】
【０００２】
液晶ディスプレイ（ＬＣＤ）製造は、現在の最も重要なかつ最も競争的産業のうちの１つである。さらに、バックライトモジュールはＬＣＤに光源を提供する最も重要な構成要素のうちの１つである。ＬＣＤがバックライトモジュールを利用することによって光を発するので、バックライトモジュールの品質はＬＣＤの有効性に直接影響を及ぼす。さらに、輝度および一様性は品質の評価のための２つの重要な指標である。現在、測定のための２つの一般的な方法、―裸眼による、あるいは機器による評価がある。
【０００３】
図１を参照されたい。図１は、パネル２上に配設される従来の輝度検知装置１を例示する模式図である。図１にて図示するように、輝度検知装置１がパネル２上の定位置に配設されるので、輝度検知装置１の輝度センサ１０はこの定位置の輝度を検出することができるだけである。換言すれば、輝度検知装置１はパネル２上の任意の領域の輝度を検出することができないので、パネル２上の輝度は一様に較正されることができない。
【０００４】
図２を参照されたい。図２は、パネル４上に配設される従来の輝度検知装置３を例示する模式図である。図２にて図示するように、輝度検知装置３はパネル４上に配設され、および、輝度検知装置３は回転可能シャフト３２およびシャフト３２上に配設される輝度センサ３０を備える。シャフト３２は、両矢印５の方向に沿って回転することができるとはいえ、なお、シャフト３２上の輝度センサ３０はパネル４上の特定の領域の輝度を検出することができるだけである。換言すれば、輝度検知装置３はパネル４上の任意の領域の輝度を検出することができないので、パネル上の輝度はなお一様に較正されることができない。
【０００５】
したがって、本発明の主目的は、前述の課題を解決するための輝度検知装置を提供することである。
【発明の開示】
【０００６】
本発明の目的は、パネル上の輝度を一様に較正するために、パネル上の任意の領域の輝度を検出することが可能な輝度検知装置を提供することである。
【０００７】
好適な一実施態様に従って、本発明の輝度検知装置はパネル上の任意の領域の輝度を検出するために使用される。この輝度検知装置は、基部、第１のシャフト、第１のアクチュエータ、第２のシャフト、第２のアクチュエータおよび少なくとも１個の輝度センサを備える。
【０００８】
第１のシャフトは第１のピボットを介して基部に枢着され、および、第２のシャフトは第２のピボットを介して第１のシャフトに枢着される。輝度センサは、第２のシャフト上の適切な位置に配設される。基部上に配設され、第１のピボットに接続された第１のアクチュエータが、第１のシャフトを基部に対して回転するように作動させるために使用される。第１のシャフト内に配設され、第２のピボットに接続された第２のアクチュエータが、第２のシャフトを第１のシャフトに対して回転するように作動させるために使用され、そうすると、第２のシャフト上の輝度センサがパネル上の任意の領域の輝度を検出することが可能である。したがって、パネル上の輝度は、一様に較正されることができる。
【０００９】
本発明の利点および趣旨は、添付の図面と共に以下の説明によって理解されることができる。
【発明を実施するための最良の形態】
【００１０】
図３Ａから図４を参照されたい。図３Ａは、本発明の一実施態様に従ってパネル７上に配設される輝度検知装置６を例示する模式図である。図３Ｂは、図３Ａに示される輝度検知装置６を例示する側面図である。図４は、図３Ｂに示される輝度検知装置６を例示する透視図である。
【００１１】
輝度検知装置６は、パネル７上のＡ１からＡ９までの任意の領域の輝度を検出するために使用される。本実施態様において、領域Ａ１−Ａ９はアレイで配置されているが、これに限られない。換言すれば、パネル７上の領域は実際的用途に従って任意の形に配置されることができる。
【００１２】
図３Ａから図４にて図示するように、輝度検知装置６は基部６０、第１のシャフト６１、第１のアクチュエータ６２、第２のシャフト６３、第２のアクチュエータ６４および輝度センサ６５を備える。本実施態様において、１個の輝度センサ６５だけが第２のシャフト６３上の適切な位置に配設されているが、これに限られない。換言すれば、本発明は実際的用途に従って第２のシャフト６３上に２個より多くの輝度センサ６５を配設することができる。
【００１３】
図４にて図示するように、第１のシャフト６１は第１のピボット６６を介して基部６０に枢着され、そして、第２のシャフト６３は第２のピボット６７を介して第１のシャフト６１に枢着される。基部６０上に配設され、第１のピボット６６に接続された第１のアクチュエータ６２が、第１のシャフト６１を基部６０に対して回転するように作動させるために使用される。第１のシャフト６１内に配設され、第２のピボット６７に接続された第２のアクチュエータ６４が、第２のシャフト６３を第１のシャフト６１に対して回転するように作動させるために使用され、そうすると、第２のシャフト６３上の輝度センサ６５がパネル７上のＡ１からＡ９までの任意の領域の輝度を検出することが可能である。
【００１４】
本実施態様において、第１のアクチュエータ６２は第１のモータ６２０および第１のモータ６２０と第１のピボット６６とを接続する第１のギヤセット６２２を備える。第２のアクチュエータ６４は第２のモータ６４０および第２のモータ６４０と第２のピボット６７とを接続する第２のギヤセット６４２を備える。第１のアクチュエータ６２は、基部６０に対して第１のシャフト６１を回転させるように第１のモータ６２０および第１のギヤセット６２２を作動させる。同様に、第２のアクチュエータ６４は第１のシャフト６１に対して第２のシャフト６３を回転させるように第２のモータ６４０および第２のギヤセット６４２を作動させる。
【００１５】
実際的用途において、第１のシャフト６１が基部６０に対して回転する、および／または第２のシャフト６３が第１のシャフト６１に対して回転する場合、輝度センサ６５はパネル７上のＡ１からＡ９までの任意の領域の輝度を検出することが可能である。したがって、パネル７上の輝度は一様に較正されることができる。
【００１６】
本実施態様において、第１のモータ６２０および第２のモータ６４０は、ステッピングモータあるいはサーボモータとすることができる。
【００１７】
図５Ａから図６を参照されたい。図５Ａは、本発明の別の実施態様に従ってパネル９上に配設される輝度検知装置８を例示する模式図である。図５Ｂは、図５Ａに示される輝度検知装置８を例示する側面図である。図６は、図５Ｂに示される輝度検知装置８を例示する透視図である。
【００１８】
輝度検知装置８は、パネル９上の任意の領域Ａ１−Ａ２５の輝度を検出するために使用される。本実施態様において、領域Ａ１−Ａ２５はアレイで配置されているが、これに限られない。換言すれば、パネル７上の領域は実際的用途に従って任意の形に配置されることができる。
【００１９】
図５Ａから図６にて図示するように、輝度検知装置８は基部８０、第１のシャフト８１、第１のアクチュエータ８２、第２のシャフト８３、第２のアクチュエータ８４、輝度センサ８５およびプーリー８９を備える。本実施態様において、１個の輝度センサ８５だけが第２のシャフト８３上の適切な位置に配設されているが、これに限られない。換言すれば、本発明は実際的用途に従って第２のシャフト８３上に２個より多くの輝度センサ８５を配設することができる。
【００２０】
図６にて図示するように、第１のシャフト８１は第１のピボット８６を介して基部８０に枢着され、そして、第２のシャフト８３は第２のピボット８７を介して第１のシャフト８１に枢着される。第３のピボット８８が、第１のピボット８６内に配設される。第１のシャフト８１内に配設されるプーリー８９が、第１のピボット８６と第３のピボット８８とを接続するために使用される。基部８０上に配設され、第１のピボット８６に接続された第１のアクチュエータ８２が、第１のシャフト８１を基部８０に対して回転するように作動させるために使用される。基部８０上に配設され、第３のピボット８８に接続された第２のアクチュエータ８４が、第２のシャフト８３を第１のシャフト８１に対して回転するように作動させるようにプーリー８９を作動させるために使用され、そうすると、第２のシャフト８３上の輝度センサ８５がパネル９上のＡ１からＡ２５までの任意の領域の輝度を検出することが可能である。
【００２１】
本実施態様において、第１のアクチュエータ８２は第１のモータ８２０および第１のモータ８２０と第１のピボット８６とを接続する第１のギヤセット８２２を備える。第２のアクチュエータ８４は第２のモータ８４０および第２のモータ８４０と第２のピボット８７とを接続する第２のギヤセット８４２を備える。第１のアクチュエータ８２は、基部８０に対して第１のシャフト８１を回転させるように第１のモータ８２０および第１のギヤセット８２２を作動させる。同様に、第２のアクチュエータ８４は、第１のシャフト８１に対して第２のシャフト８３を回転させるように第２のモータ８４０、第２のギヤセット８４２およびプーリー８９を作動させる。
【００２２】
実際的用途において、第１のシャフト８１が基部８０に対して回転する、および／または第２のシャフト８３が第１のシャフト８１に対して回転する場合、輝度センサ８５はパネル９上のＡ１からＡ２５までの任意の領域の輝度を検出することが可能である。したがって、パネル９上の輝度は、一様に較正されることができる。
【００２３】
本実施態様において、第１のモータ８２０あるいは第２のモータ８４０はステッピングモータあるいはサーボモータとすることができる。
【００２４】
従来技術と比較して、本発明の輝度検知装置は、パネル上の任意の領域の輝度を検出するために、２台のアクチュエータによって回転するようにそれぞれ２本のシャフトを作動させる。したがって、パネル上の輝度は、一様に較正されることができる。
【００２５】
上記の具体例および説明によって、本発明の特徴および趣旨が十分に記述されると期待される。当業者は、この装置の数多くの変更および改変が本発明の教示を保持すると共になされることができることに、容易に気づくであろう。したがって、上記の開示は、添付の特許請求の範囲の境界および範囲だけによって限定されるように、解釈されるべきである。
【図面の簡単な説明】
【００２６】
【図１】パネル上に配設される従来の輝度検知装置を例示する模式図である。
【図２】パネル上に配設される従来の輝度検知装置を例示する模式図である。
【図３Ａ】本発明の一実施態様に従ってパネル上に配設される輝度検知装置を例示する模式図である。
【図３Ｂ】図３Ａに示される輝度検知装置を例示する側面図である。
【図４】図３Ｂに示される輝度検知装置６を例示する透視図である。
【図５Ａ】本発明の別の一実施態様に従ってパネル上に配設される輝度検知装置を例示する模式図である。
【図５Ｂ】図５Ａに示されるパネル上に配設される輝度検知装置を例示する側面図である。
【図６】図５Ｂに示されるパネル上に配設される輝度検知装置を例示する透視図である。
【符号の説明】
【００２７】
１従来の輝度検知装置
２パネル
３従来の輝度検知装置
４パネル
５両矢印
６輝度検知装置
７パネル
８輝度検知装置
９パネル
３０輝度センサ
３２回転可能シャフト
６０基部
６１第１のシャフト
６２第１のアクチュエータ
６３第２のシャフト
６４第２のアクチュエータ
６５輝度センサ
６６第１のピボット
６７第２のピボット
８０基部
８１第１のシャフト
８２第１のアクチュエータ
８３第２のシャフト
８４第２のアクチュエータ
８５輝度センサ
８６第１のピボット
８７第２のピボット
８８第３のピボット
８９プーリー
６２０第１のモータ
６２２第１のギヤセット
６４０第２のモータ
６４２第２のギヤセット
８２０第１のモータ
８２２第１のギヤセット
８４０第２のモータ
８４２第２のギヤセット
Ａ１−Ａ９領域
Ａ１−Ａ２５領域
【図１】
2009014699.tif 000003
【図２】
2009014699.tif 000004
【図３Ａ】
2009014699.tif 000005
【図３Ｂ】
2009014699.tif 000006
【図４】
2009014699.tif 000007
【図５Ａ】
2009014699.tif 000008
【図５Ｂ】
2009014699.tif 000009
【図６】
2009014699.tif 000010